(57)【要約】  本発明は、第１の軽量板（２）の凹部に設置される第１のハウジング部品（１０）と、第２の軽量板（３）とを有する、軽量板、特に、ハニカム板の接続ハードウェアに関する。第１のハウジング部品（１０）は、第２のハウジング部品（２０）に対して調節可能であり、第１のハウジング部品（１０）および第２のハウジング部品（２０）を互いに対して所定の位置に固定するために、少なくとも１つのクリップ（３０）が設けられる。これにより、簡単な方法で許容誤差の補償を行うことができる。【選択図】  図１
2011503396.tif 000002
【特許請求の範囲】
【請求項１】
第１の軽量建築パネル（２）の凹部に設置される第１のハウジング部品（１０）と、第２の軽量建築パネル（３）の凹部に設置される第２のハウジング部品（２０）とを備え、前記第１のハウジング部品（１０）が、前記第２のハウジング部品（２０）に対して調節可能である、軽量建築パネル、特に、ハニカムパネルの接続継手において、
前記第１のハウジング部品（１０）および前記第２のハウジング部品（２０）を互いに対して所定の位置に固定するために、少なくとも１つのクリップ（３０）が設けられていることを特徴とする、接続継手。
【請求項２】
前記第１のハウジング部品（１０）および前記第２のハウジング部品（２０）が、軽量建築パネル（２、３）の平面に対して垂直な方向に調節可能であり、少なくとも１つのクリップ（３０）を用いて高さ調節が可能であることを特徴とする、請求項１に記載の接続継手。
【請求項３】
前記第１のハウジング部品（１０）および前記第２のハウジング部品（２０）が、正面縁部（２３）上に互いに載置され、
前記第１のハウジング部品（１０）および前記第２のハウジング部品（２０）が、前記正面縁部に沿って前記軽量建築パネル（２、３）の平面において変位可能であり、前記少なくとも１つのクリップ（３０）を用いて互いに固定されることを特徴とする、請求項１または２に記載の接続継手。
【請求項４】
前記第１のハウジング部品（１０）に第１のクリップ（３０）を固定し、前記第２のハウジング部品（２０）に第２のクリップ（３０）を固定した、２つのクリップ（３０）が設けられていることを特徴とする、請求項１〜３のいずれか一項に記載の接続継手。
【請求項５】
前記クリップ（３０）上に、前記第１のハウジング部品（１０）および前記第２のハウジング部品（２０）の受け部（３４）に差し込まれる突出部（３２）が設けられていることを特徴とする、請求項１〜４のいずれか一項に記載の接続継手。
【請求項６】
フォーク状に配設された複数の突出部（３２）が、前記クリップ（３０）上に形成され、前記突出部の各々が、前記第１のハウジング部品（１０）および前記第２のハウジング部品（２０）の前記受け部（３４）に差し込まれることを特徴とする、請求項５に記載の接続継手。
【請求項７】
前記クリップ（３０）の各々が、ねじ（３１）を介して前記第１のハウジング部品（１０）および前記第２のハウジング部品（２０）に固定されることを特徴とする、請求項１〜６のいずれか一項に記載の接続継手。
【請求項８】
前記ねじ（３１）が、前記第１のハウジング部品（１０）および前記第２のハウジング部品（２０）の正面縁部（２３）に隣接して配設されることを特徴とする、請求項７に記載の接続継手。
【請求項９】
前記第１のハウジング部品（１０）および前記第２のハウジング部品（２０）が、締め付けデバイス（１２、１３、１４）を介して互いに対して保持されることを特徴とする、請求項１〜８のいずれか一項に記載の接続継手。
【請求項１０】
前記締め付けデバイスの端部セクション（１２、１４）を差し込むためのポット型の受け部（１１、２１）が、前記第１のハウジング部品（１０）および前記第２のハウジング部品（２０）の各々に配設されていることを特徴とする、請求項９に記載の接続継手。
【請求項１１】
前記第１のハウジング部品（１０）および前記第２のハウジング部品（２０）の各々が、前記軽量建築パネル（２、３）のカバーパネル（６）に接着されることを特徴とする、請求項１〜１０のいずれか一項に記載の接続継手。
【請求項１２】
前記第１のハウジング部品（１０）および前記第２のハウジング部品（２０）が、該第１のハウジング部品（１０）および該第２のハウジング部品（２０）の各背面側のギャップ（２５）および／または縁部（２７）に接着剤を受け入れるための空間を各々が形成するように、前記軽量建築パネル（２、３）の前記カバーパネル（４、６）に装着されることを特徴とする、請求項１〜１１のいずれか一項に記載の接続継手。
【請求項１３】
前記第１のハウジング部品（１０）および前記第２のハウジング部品（２０）の各々に接着剤チャネル（２４）が設けられており、前記接着剤チャネル（２４）により、前記カバーパネル（６）および／または前記ハウジング部品（１０、２０）の背面側の間のギャップ（２５）に接着剤が分配可能となっていることを特徴とする、請求項１〜１２のいずれか一項に記載の接続継手。
【発明の詳細な説明】
【技術分野】
【０００１】
本発明は、第１の軽量建築パネルの凹部に設置される第１のハウジング部品と、第２の軽量建築パネルの凹部に設置される第２のハウジング部品とを備え、第１のハウジング部品が第２のハウジング部品に対して調節可能である、軽量建築パネル、特に、ハニカムパネル用の接続継手に関する。
【背景技術】
【０００２】
独国実用新案第２０２００６００２６４８号から、中空パネル用の継手が知られており、この継手では、２つの隣接する中空パネルの受け部に、ポット型のハウジング部品がそれぞれ差し込まれる。各ハウジング部品は、いくつかのねじによって中空パネルに固定される。中空パネルを接合するために、締め付けデバイスが設けられ、この締め付けデバイスにより、中空パネルは、所定の位置に締め付けられた状態で互いに固定されうる。この継手の欠点は、中空パネルの固定が所定の位置でしかできないことである。例えば、許容誤差の補償をするために、軽量建築パネルの調節および位置合わせを行うことができない。
【発明の概要】
【発明が解決しようとする課題】
【０００３】
したがって、本発明の目的は、単純な装置と組み合わせて隣接の軽量建築パネルの位置を調節できるようにする軽量建築パネル用の接続継手を提供することである。
【課題を解決するための手段】
【０００４】
この目的は、請求項１の特徴を備えた接続継手によって達成される。
【０００５】
本発明によれば、第１のハウジング部品と第２のハウジング部品とを互いに所定の位置に固定するための少なくとも１つのクリップが提供される。このように、ハウジング部品を互いに対して固定するため、第１のハウジング部品を第２のハウジング部品に対して所望の位置に調節することが可能である。したがって、締め付けデバイスによってハウジング部品を１つの所定位置にしか固定できないという事態が避けられる。その代わりに、例えば、許容誤差を補償するためにハウジング部品の調節が実行可能であるため、クリップを介した固定を引き続き行える。
【０００６】
本発明の好ましい展開例によれば、ハウジング部品は、軽量建築パネルの平面に垂直な方向に調節可能であり、少なくとも１つのクリップによって高さ調節が可能である。このように、隣接する軽量建築パネルを互いにわずかにずらして装着できる。さらに、ハウジング部品を正面縁部上に互いに載置し、前記正面縁部に沿って軽量建築パネルの平面にハウジング部品を変位可能にし、少なくとも１つのクリップを使って互いに固定することが可能である。これにより、ハウジング部品の調節に関する変動幅を大きくできることで、正面縁部に沿ってハウジング部品を互いに所望の位置に固定できる。
【０００７】
好ましくは、第１のハウジング部品に固定される第１のクリップと、第２のハウジング部品に固定される第２のクリップとを有する２つのクリップが設けられる。これにより、ハウジング部品を固定する際の安定性が高くなる。
【０００８】
ハウジング部品を互いに固定するために、ハウジング部品の受け部に差し込まれるクリップに、突出部が設けられうる。好ましくは、フォーク状に配設されたいくつかの突出部がクリップ上に配設され、１つのハウジング部品の受け部に突出部がそれぞれ差し込まれる。これにより、クリップの少なくとも１つの突出部を隣接するハウジング部品の受け部内に差し込むことによって、ハウジング部品が実質的に噛み合って固定される。
【０００９】
本発明のさらなる展開例によれば、各クリップは、ねじを介してハウジング部品に固定される。このようにして、迅速で簡単な装着が可能となり、ハウジング部品の正面縁部に隣接してねじを配設することが好ましく、クリップに力がかかった場合、ねじを介して正面縁部に隣接した領域でこのような力を吸収できる。
【００１０】
位置合わせ後に軽量建築パネルの接続を固定するために、第１のハウジング部品および第２のハウジング部品は、締め付けデバイスを介して互いに対して保持されうる。このため、各ハウジング部品は、好ましくは、締め付けデバイスの端部セクションを差し込むためのポット型の受け部を備える。締め付けデバイスにより、軽量建築パネルおよびハウジング部品の締め付けが確保されるため、軽量建築パネルの位置合わせ後、特に高い安定性が達成される。
【００１１】
ハウジング部品を軽量建築パネルにしっかりと固定するために、ハウジング部品は、カバーパネルに接着されることが好ましい。各ハウジング部品には接着チャネルが設けられ、このチャネルにより、カバーパネルとハウジング部品の背面側との間のギャップに接着剤を分配することができるため、背面側の広範囲の領域にわたって接着を行える。
【００１２】
以下、添付の図面に示す実施形態を参照しながら、本発明についてより詳細に説明する。
【図面の簡単な説明】
【００１３】
【図１】装着中の本発明による接続継手の斜視図を示す。
【図２】図３の接続継手の断面図を示す。
【図３】図１の接続継手の平面図を示す。
【図４】接続継手のハウジング部品の斜視図を示す。
【図５】接続継手のハウジング部品の平面図を示す。
【図６】図５の線に沿って切り取った断面図を示す。
【図７】図５のハウジング部品の背面斜視図を示す。
【図８】軽量建築パネルがない接続継手の部品の斜視図を示す。
【図９】装着中の締め付けデバイスがない接続継手の斜視図を示す。
【図１０】締め付けデバイスがない接続継手の平面図を示す。
【図１１】装着中の接続継手の断面側面図を示す。
【図１２】装着位置にある締め付けデバイスがない接続継手の図を示す。
【図１３】装着位置にある締め付けデバイスがない接続継手の図を示す。
【図１４】装着位置にある締め付けデバイスがない接続継手の図を示す。
【図１５】装着位置にある締め付けデバイスがない接続継手の図を示す。
【発明を実施するための形態】
【００１４】
軽量建築パネル２および３を互いに固定するために、接続継手１が使用され、軽量建築パネルの各々は、上側カバーパネル４と、下側カバーパネル６と、空隙（詳細には図示せず）を有する介在する格子構造６、例えば、ハニカム構造とを備える。固体材料からなり、１つのみのカバーパネル４または３つ以上のカバーパネル４、６を備える他の軽量建築パネル４に接続継手１を使用することも可能である。
【００１５】
接続継手１は、軽量建築パネル２のＵ字状の凹部に固定され、ポット型の受け部１１を備える第１のハウジング部品１０を備える。さらに、第２の軽量建築パネル３に、第２のハウジング部品２０が固定され、ハウジング部品２０は、第１のハウジング部品１０と同一の構造になるように配設され、第２の軽量建築パネル３のそれぞれのＵ字状の凹部に固定される。第１の軽量建築パネル２および第２の軽量建築パネル３の凹部は、上側カバーパネル４、格子構造５、および下側カバーパネル６の一部を通って延びるため、ハウジング部品２および３の１つの背面側は、下側カバーパネル６の凹部の床に隣接して配設される。接続継手１は、接続ロッド１３、湾曲セクション１２、および締め付け要素１４によって形成された締め付けデバイスを備える。湾曲セクション１２は、ポット型の受け部１１または２１に差し込み可能であり、ねじ筋が切られる。締め付け要素１４はまた、ハウジング部品１０および２０の受け部１１または２１に差し込み可能であり、接続ロッド１３は、軽量建築パネル２および３を互いに締め付けて固定できるように、歯車またはねじ筋により締め付け可能である。
【００１６】
軽量建築パネル２および３を互いに調節できるようにするために、正面縁部２３を有するハウジング部品１０および２０は、軽量建築パネル２および３の正面縁部７と同一平面にある。その結果、軽量建築パネル２および３は、軽量建築パネルの平面に垂直な方向、すなわち、高さ方向と、正面縁部７に沿った方向の両方に互いに対して変位可能である。ハウジング部品１０および２０を固定するためにクリップ３０が設けられ、クリップは、ハウジング部品１０および２０を互いに対して固定する。
【００１７】
図４〜図７に示すように、まず軽量建築パネル３の凹部にハウジング部品２０が接着される。この目的のために、ハウジング部品２０は、ハウジング部品２０の上側からハウジング部品２０の背面側へ延びるチャネル２４を備える。チャネル２４は、カバーパネル６上の凹部の床と、ハウジング部品２０の背面側との間に形成されたギャップ２５内で開口する。その結果、チャネル２４に投入された接着剤が、背面側の全表面に分散され、ハウジング部品２０とカバーパネル６とが良好に固定される。さらに、適切な接着ノズル４０により、チャネル２４内に接着剤を効率的に投入することができる。
【００１８】
クリップ３０を固定するために、ハウジング部品２０上にねじチャネル２２がさらに配設され、このねじチャネルは、ハウジング部品２０の正面縁部２３に隣接して設けられる。
【００１９】
ハウジング部品２０は、受け部２１と正面側２３との間に、接続ロッド１３が遊びをもって差し込み可能な溝２６をさらに備える。このようにして溝２６内での接続ロッド１３の位置は変更可能であり、このような位置の変更は、ハウジング部品１０および２０を互いに対して調節するのに必要である。
【００２０】
ハウジング部品２０は、上側カバーパネル４上に相互ロックして載置される上側縁部２７をさらに備える。
【００２１】
最初に、ハウジング部品１０および２０は、接続継手を装着するための軽量建築パネル２および３の凹部に接着される。次に、軽量建築パネル２および３は、２つのクリップ３０によって後で固定するために、互いに対して所望の位置に位置付けられる。クリップ３０は、ねじチャネル２２内にねじ３１をねじり付けるための受け部を備える。各クリップ３０は、ハウジング部品１０または２０のスリット状の受け部３４内に差し込み可能な網状の突出部３２をさらに備える。スリット状の受け部３４にフォーク状に差し込み可能ないくつかの突出部３２が互いに隣接して配設される。ハウジング部品１０および２０が、正面縁部７に沿って変位されると、受け部３４に突出部３２が係合することによって、変位方向での固定が起こりうる。ハウジング部品１０および２０が、正確に対称になるように互いに対向して配置される必要はない。
【００２２】
クリップ３０は、ハウジング部品上に載置される突出部３２とは反対側上に形成されたストッパ３３で、高さを調節するためにさまざまな角度位置に固定されうる。
【００２３】
図１２〜図１５は、高さオフセットΔＨが軽量建築パネル２および３の間に設けられた、装着位置にある接続継手を示す。高さオフセットΔＨにかかわらず、軽量建築パネル２および３は、高さオフセットΔＨに従って位置合わせされたクリップ３０を、ねじ３１をねじり付けた後に所定の傾きに配設して、接続継手を介して互いに接続されうる。
【００２４】
例示した実施形態において、１つ目のクリップ３０を第１のハウジング部品１０に固定し、２つ目のクリップ３０をねじ３１により第２のハウジング部品２０に固定する２つのクリップ３０が設けられる。提供するクリップ３０は、１つだけでも、または３つ以上でも可能なことは明らかである。
【００２５】
ハウジング部品１０および２０は、プラスチックで一体に作ることもできる。ハウジング部品１０および２０を互いに対して締め付けるための締め付けデバイスは、例示した接続ロッド１３、締め付け要素１４、および湾曲セクション１２の代わりに異なる締め付け要素を有しうる。
【００２６】
ハウジング部品１０および２０の接着は、さまざまな方法で行うこともできる。接着剤は、底部または上部のカバーパネル（４、６）のいずれかにのみ塗布され、または両方のカバーパネル（４、６）の両方に同時に塗布されうる。必要に応じて、有用な選択をすべきである。
【００２７】
さらに、接着剤チャネルを経由させる代わりに、接着表面に直接接着剤を塗布したり、コンポーネントの接合後に接着剤を注入したり（注入）、または後で熱を加えて液化するホットグルーなどの凝固した塊のような接着剤を予め塗布したり（磁気誘導）することにより、接着を行うこともできる。
【図１】
2011503396.tif 000003
【図２】
2011503396.tif 000004
【図３】
2011503396.tif 000005
【図４】
2011503396.tif 000006
【図５】
2011503396.tif 000007
【図６】
2011503396.tif 000008
【図７】
2011503396.tif 000009
【図８】
2011503396.tif 000010
【図９】
2011503396.tif 000011
【図１０】
2011503396.tif 000012
【図１１】
2011503396.tif 000013
【図１２】
2011503396.tif 000014
【図１３】
2011503396.tif 000015
【図１４】
2011503396.tif 000016
【図１５】
2011503396.tif 000017
【国際調査報告】
2011503396.tif 000018
2011503396.tif 000019
2011503396.tif 000020
2011503396.tif 000021